(57)【要約】【課題】一つの蓋検知手段の搭載にて、安価で安全性を高めた洗濯機を提供すること。【解決手段】洗濯蓋６の開閉状態を検知する蓋検知手段８と、洗濯機本体７の上部前面部に設けられ運転内容を設定する入力設定手段２５と、設定内容や進行状況などを表示する表示手段２６とで構成された操作表示部２４と、一連の行程を制御する制御手段２１を有する制御装置９と、蓋検知手段８が検知した洗濯蓋６の開閉動作を記録する記憶手段２７と、洗濯動作の異常状態等を報知する報知手段２８とを備え、脱水動作を行う行程において、記憶手段２７に記録した洗濯蓋６の開動作および閉動作の回数が０回であった場合に、蓋検知手段８の故障と判断し運転を中止する構成とすることにより、複数の蓋検知手段を設けることなく、安価に安全性を向上させることができる。【選択図】図１
2016158934.tif 000002
【特許請求の範囲】
【請求項１】
洗濯機本体と、前記洗濯機本体に形成した衣類投入用の開口部を開閉自在に覆う洗濯蓋と、前記洗濯蓋近傍に設けられ前記洗濯蓋の開閉状態を検知する蓋検知手段と、前記洗濯機本体に設けられ運転内容を設定する入力設定手段、及び前記入力設定手段にて設定した設定内容や進行状況などを表示する表示手段とで構成された操作表示部と、前記入力設定手段の設定内容に基づいて洗い、すすぎ、脱水の一連の行程を制御する制御手段を有する制御装置と、前記蓋検知手段が検知した洗濯蓋の開閉動作を記録する記憶手段と、を備え、前記制御手段は、所定の期間に、前記蓋検知手段の検知信号が変化しない場合に、前記蓋検知手段の故障と判断する洗濯機。
【請求項２】
制御手段は、蓋検知手段の故障と判断した場合には、洗濯蓋が開いたままの状態の報知音とは異なる報知音にて報知する請求項１に記載の洗濯機。
【発明の詳細な説明】
【技術分野】
【０００１】
本発明は、洗い、すすぎ、脱水行程を行う洗濯機に関するものである。
【背景技術】
【０００２】
従来、この種の洗濯機は、洗濯蓋の開閉を蓋検知スイッチおよび磁石とリードスイッチを用いて検知する構成が提案されてきた（例えば、特許文献１参照）。
【０００３】
図５は、特許文献１に記載された従来の洗濯機の縦断面図、図６は、同洗濯機のブロック回路図、図７は、同洗濯機の洗濯蓋開閉時の信号タイムチャートである。
【０００４】
図５、図６、図７において、外槽２２は、洗濯兼脱水槽１を回転自在に内包し、防振装置２３により洗濯機本体７に吊り下げられている。
【０００５】
洗濯兼脱水槽１は、底部に攪拌翼２を回転自在に設けており、減速機構３を介してモータ４からの駆動力を減速し、洗濯時には攪拌翼２に駆動力を伝達し、脱水時には洗濯兼脱水槽１に伝達する。脱水と洗濯の切り換えは、排水弁５を駆動することにより行われ、排水弁５を駆動すると、洗濯水を排水するとともに、減速機構３のクラッチが切り換わり脱水運転が行われる。
【０００６】
洗濯蓋６は、中央部に蝶番を持った折り畳み構造としており、洗濯機本体７の上面に形成した衣類投入用の開口部を覆うもので、蓋検知スイッチ（第２の蓋検知手段）８は、洗濯蓋６の軸受け部６ａ近くに設けられたレバー６ｂにより、洗濯蓋６の開閉に応じて接点を開閉するようにしている。
【０００７】
制御手段１１を有する制御装置１７は、洗濯機本体７の上部前面の操作表示部１０に配設され、双方向性サイリスタなどで構成したパワースイッチング手段１２を介して、モータ４、排水弁５、給水弁１３などを制御して、洗い、すすぎ、脱水の一連の行程を逐次制御する。
【０００８】
操作表示手段１４は、洗い、すすぎ、脱水などの運転設定などを入力し、運転状態を表示するものである。水位検知手段１５は、洗濯兼脱水槽１内の水位を検知し、その出力を制御手段１１に入力し、所定水位まで給水できるようになっている。
【０００９】
リードスイッチ（第１の蓋検知手段）１６は、洗濯機本体７の上面部に配設された制御装置１７のプリント配線板１８に実装されており、洗濯蓋６の先端部に取り付けられた磁石１９が近づくと、オンし、離れるとオフする。蓋検知スイッチ（第２の蓋検知手段）８は、洗濯蓋６の閉時にオンし、かつ、洗濯兼脱水槽１の異常振動時にはオフする。
【００１０】
制御手段１１は、上述のように、洗い、すすぎ、脱水の一連の行程を制御し、さらに、リードスイッチ１６、または蓋検知スイッチ８のいずれか一方がオフしたときに、洗濯蓋６が開いていると判定するようにしている。また、リードスイッチ１６がオンし、かつ、蓋検知スイッチ８が所定時間以下の一時的なオフ動作をした場合に、洗濯兼脱水槽１が異常振動していると判定するようにしている。
【００１１】
上記構成において、操作表示手段１４のスイッチより脱水運転の設定が入力されたり、または全自動運転で脱水行程に入ると、制御手段１１は、パワースイッチング手段１２を介して排水弁５、モータ４を駆動し、減速機構３を経由して洗濯兼脱水槽１が回転する。
このとき、洗濯蓋６は閉じているので、蓋検知スイッチ８とリードスイッチ１６はオン状態になっている。
【００１２】
脱水運転中に使用者が洗濯蓋６を開けると、図７に示すように、まずリードスイッチ１６がオフし、つづいて、蓋検知スイッチ８がオフする。制御手段１１は、図７のＣ点で洗濯蓋６が開いていると判断し、モータ４の回転を停止するとともに、排水弁５の駆動を停止する。排水弁５の駆動を停止すると、減速機構３内のブレーキ機構（図示せず）が働き、洗濯兼脱水槽１は減速停止する。
【先行技術文献】
【特許文献】
【００１３】
【特許文献１】特開平７−１２４３８０号公報
【発明の概要】
【発明が解決しようとする課題】
【００１４】
しかしながら、このような従来の構成では、洗濯蓋が開いているにもかかわらず、第１の蓋検知手段であるリードスイッチの接点間や、第２の蓋検知手段である蓋検知スイッチの接点間に伝導体の異物が付着するなどして短絡しても、制御手段が洗濯蓋は閉状態であると誤検知する故障発生を検知することができないため、複数の蓋検知手段を併用し、これらの故障発生時の安全性を確保しなければならず、製造原価もアップしてしまうという課題があった。
【００１５】
本発明は、上記従来の課題を解決するもので、複数の蓋検知手段を設けることなく、蓋検知手段の故障を検知することができ、安価で安全性を高めた洗濯機を提供することを目的とする。
【課題を解決するための手段】
【００１６】
前記従来の課題を解決するために、本発明の洗濯機は、洗濯機本体と、前記洗濯機本体に形成した衣類投入用の開口部を開閉自在に覆う洗濯蓋と、前記洗濯蓋近傍に設けられ前記洗濯蓋の開閉状態を検知する蓋検知手段と、前記洗濯機本体に設けられ運転内容を設定する入力設定手段、及び前記入力設定手段にて設定した設定内容や進行状況などを表示する表示手段とで構成された操作表示部と、前記入力設定手段の設定内容に基づいて洗い、すすぎ、脱水の一連の行程を制御する制御手段を有する制御装置と、前記蓋検知手段が検知した洗濯蓋の開閉動作を記録する記憶手段と、を備え、前記制御手段は、所定の期間に、前記蓋検知手段の検知信号が変化しない場合に、前記蓋検知手段の故障と判断する構成としたものである。
【００１７】
これにより、複数の蓋検知手段を設けることなく、安価で安全性を向上させることができる。
【発明の効果】
【００１８】
本発明の洗濯機は、複数の蓋検知手段を設けることなく、蓋検知手段の故障を検知することができ、安価に安全性を向上させることができる。
【図面の簡単な説明】
【００１９】
【図１】本発明の実施の形態における洗濯機の縦断面図
【図２】同洗濯機のブロック回路図
【図３】同洗濯機の蓋検知手段の断面図
【図４】同洗濯機の蓋開閉時の信号タイムチャート
【図５】従来の洗濯機の縦断面図
【図６】同洗濯機のブロック回路図
【図７】同洗濯機の蓋開閉時の信号タイムチャート
【発明を実施するための形態】
【００２０】
第１の発明は、洗濯機本体と、前記洗濯機本体に形成した衣類投入用の開口部を開閉自在に覆う洗濯蓋と、前記洗濯蓋近傍に設けられ前記洗濯蓋の開閉状態を検知する蓋検知手段と、前記洗濯機本体に設けられ運転内容を設定する入力設定手段、及び前記入力設定手段にて設定した設定内容や進行状況などを表示する表示手段とで構成された操作表示部と、前記入力設定手段の設定内容に基づいて洗い、すすぎ、脱水の一連の行程を制御する制御手段を有する制御装置と、前記蓋検知手段が検知した洗濯蓋の開閉動作を記録する記憶手段と、を備え、前記制御手段は、所定の期間に、前記蓋検知手段の検知信号が変化しない場合に、前記蓋検知手段の故障と判断する構成とすることにより、複数の蓋検知手段を設けることなく、安価に安全性を向上させることができる。
【００２１】
第２の発明は、特に、第１の発明の制御手段は、制御手段は、蓋検知手段の故障と判断した場合には、洗濯蓋が開いたままの状態の報知音とは異なる報知音にて報知する構成とすることにより、使用者に確実に洗濯機の故障を知らせることができるため、いち早く修理を促すことができる。
【００２２】
以下、本発明の実施の形態について、図面を参照しながら説明する。なお、従来例と同じ構成のものは同一符号を付して説明を省略する。また、この実施の形態によって本発明が限定されるものではない。
【００２３】
（実施の形態１）
図１は、本発明の実施の形態における洗濯機の縦断面図、図２は、同洗濯機のブロック回路図、図３は、蓋検知スイッチ（蓋検知手段）の断面図である。
【００２４】
図１、図２において、蓋検知スイッチ（蓋検知手段）８は、洗濯蓋６の軸受け部６ａ近くに設けられたレバー６ｂにより、洗濯蓋６の開閉に応じて接点を開閉するようにしている。
【００２５】
制御手段２１を有する制御装置９は、洗濯機本体７の上部前面に配設された操作表示部２４の内方に配設され、洗い、すすぎ、脱水の一連の行程を逐次制御するようにしている。
【００２６】
制御手段２１は、双方向性サイリスタなどで構成したパワースイッチング手段１２を介して、モータ４、排水弁５、給水弁１３などを制御して、洗い、すすぎ、脱水の一連の行程を制御する。
【００２７】
操作表示部２４は、使用者が運転内容を設定する入力設定手段２５と、設定内容や進行状況などを表示する表示手段２６とで構成されている。
【００２８】
記憶手段２７は、洗濯機の運転回数、異常履歴、洗濯蓋６の開閉回数、各種の検知した内容などを記憶する。
【００２９】
報知手段２８は、圧電ブザー等により構成し、制御手段２１の出力により、運転終了時や異常発生時などの報知動作を行う。
【００３０】
布量検知手段２９は、洗濯兼脱水槽１内に投入された洗濯物の布量を、攪拌翼２を小刻みに回転させて検知するもので、制御手段２１は、検知された布量に対して適切な水位を
決定し、操作表示部２４の表示手段２６に水位に合った洗剤量を表示する。
【００３１】
図３において、蓋検知スイッチ８は、洗濯蓋６の閉時にはレバー６ｂによりスイッチレバー８０が矢印Ａ方向に押し上げられ、可動体８１を介して接点８２ａ、８２ｂを閉じる構成となっている。検知レバー８３は、脱水運転中に洗濯兼脱水槽１が大きく振動すると、Ｂ方向に押され、スイッチレバー８０により閉じている接点８２ａ、８２ｂを、可動体８１を押して開放させるようになっている。
【００３２】
以上のように構成した洗濯機について、以下、その動作、作用を説明する。
【００３３】
図４は、本発明の実施の形態における洗濯機の標準的な運転コースにおける蓋開閉時の信号タイムチャートである。
【００３４】
図４において、洗濯蓋６が閉じられた停止状態から、使用者が洗濯蓋６を開けると、蓋検知スイッチの８の接点８２ａ、８２ｂ間が開く。衣類を投入すると、モータ４が駆動して攪拌翼２が小刻みに動いて布量が検知され、布量に合った水位が設定され、表示手段２６に洗剤量が表示される。
【００３５】
使用者は、表示された洗剤量を洗濯兼脱水槽１内に投入し、洗濯蓋６を閉じると、蓋検知スイッチの８の接点８２ａ、８２ｂが閉じ、給水弁１３が動作して給水が始まり、給水が終わると攪拌翼２が回転して攪拌動作が始まり、運転コースが進行する。そして、最終の脱水行程が終わると、使用者は洗濯蓋６を開け、蓋検知スイッチの８の接点８２ａ、８２ｂ間が開き、衣類を取り出して運転が終了する。
【００３６】
脱水運転中に使用者が洗濯蓋６を開けると、レバー６ｂにより押さえられ閉じていた蓋検知スイッチ８の接点８２ａ、８２ｂが開き、制御装置９に蓋開放の信号が入力され、制御装置９はモータ４の回転を停止するとともに排水弁５の駆動を停止する。さらに、減速機構３内のブレーキ機構が働き、洗濯兼脱水槽１が減速停止する。
【００３７】
また、脱水運転の開始時に洗濯蓋６が開いていた場合は、使用者に洗濯蓋６を閉じるよう促すために、報知手段２８によって報知を行う。
【００３８】
記憶手段２７は、運転時や待機時の洗濯蓋６の開閉動作回数を常時監視し、記録するとともに、記録は運転終了時にクリアされ再カウントが始まる。
【００３９】
この時、蓋検知スイッチ８の接点８２ａと８２ｂに、変形や固着等により短絡状態で故障した場合や異物付着等による接点導通不良が発生すると、衣類の出し入れや、洗剤の投入などで洗濯蓋６の開閉動作が行われても、蓋開閉による信号変化が発生しない為、記憶手段２７に記録される開閉回数は計測されない。
【００４０】
制御手段２１は、脱水動作を行う行程が始まる前に、記憶手段２７に記録された洗濯蓋６の開閉動作の回数を確認し、洗濯蓋６の開動作および閉動作の回数が０回の場合は、蓋検知スイッチ８に異常状態が発生したと判断して運転を中止する。さらに、表示手段２６にて異常を表示するとともに、報知手段２８によって、報知音にて蓋検知スイッチの故障を報知する。この時の報知音は、例えば洗濯蓋６の閉め忘れなどのユーザー手直し異常の報知音とは異なる報知音で報知し、利用者に修理を促す。
【００４１】
なお、本実施の形態では、蓋検知手段は二つの接点を有する蓋検知スイッチで説明したが、上記構成に限定するものではなく、洗濯蓋に搭載された磁石の磁力によって、洗濯蓋の開閉を検知する蓋検知手段であっても良い。
【００４２】
以上のように、本実施の形態においては、脱水動作を行う行程において、記憶手段２７に記録した洗濯蓋６の開動作および閉動作の回数が０回であった場合に、蓋検知スイッチ（蓋検知手段）８の故障と判断し、運転を中止する構成とすることにより、複数の蓋検知手段を設けることなく、安価に安全性を向上させることができる。
【００４３】
また、蓋検知スイッチ（蓋検知手段）８の故障と判断した場合に、操作表示部２４の表示手段２６にて異常を表示するとともに、報知手段２８により報知音で異常を報知し、かつ、脱水時に洗濯蓋６が開いたままになっている時の報知音とは異なる報知音にて報知する構成とすることにより、使用者に確実に洗濯機の故障を知らせることができるため、いち早く修理を促すことができる。
【００４４】
なお、本実施の形態は、縦型洗濯機に基づいて説明したが、縦型洗濯機に限定されるものではなく、ドラム式洗濯機に採用することも可能である。
【産業上の利用可能性】
【００４５】
以上のように、本発明にかかる洗濯機は、洗濯蓋の開閉履歴を記録することにより、蓋検知手段の故障を検知することが可能となるので、蓋検知手段を有する他の洗濯機の用途に適用できる。
【符号の説明】
【００４６】
６  洗濯蓋
７  洗濯機本体
８  蓋検知スイッチ（蓋検知手段）
９  制御装置
２１  制御手段
２４  操作表示部
２５  入力設定手段
２６  表示手段
２７  記憶手段
２８  報知手段
【図１】
2016158934.tif 000003
【図２】
2016158934.tif 000004
【図３】
2016158934.tif 000005
【図４】
2016158934.tif 000006
【図５】
2016158934.tif 000007
【図６】
2016158934.tif 000008
【図７】
2016158934.tif 000009